(57)【要約】【課題】スケジュール情報の送信対象である照明コントローラに、確実にスケジュール情報を送信する照明システム等を提供する。【解決手段】照明システム１の操作端末１０は、照明コントローラ２１〜２４のそれぞれの識別情報を記憶する記憶部１０ｄと、照明コントローラ２１〜２４と無線通信する通信部１０ａと、スケジュール情報Ａ〜Ｄを、通信部１０ａを介して照明コントローラ２１〜２４に送信する制御部１０ｃと、を備える。制御部１０ｃは、通信部１０ａを介して、操作端末１０と通信確立している照明コントローラ２１から照明コントローラ２１の識別情報に関する情報を取得する。そして、上記情報に基づいて、通信確立している照明コントローラ２１とスケジュール情報Ａの送信対象である照明コントローラ２１とが一致することを確認した後、通信確立している照明コントローラ２１にスケジュール情報Ａを送信する。【選択図】図６
2019091637.tif 000002
【特許請求の範囲】
【請求項１】
複数の照明器具と、前記複数の照明器具のうち１以上の照明器具の点灯状態を制御する複数の照明コントローラと、前記複数の照明コントローラのうちいずれか１つの照明コントローラと通信確立する操作端末とを備える照明システムであって、
前記操作端末は、
前記複数の照明コントローラのそれぞれの識別情報を記憶する記憶部と、
前記複数の照明コントローラと無線通信する通信部と、
前記１以上の照明器具の点灯状態と時刻または時間帯とが対応づけられたスケジュール情報を、前記通信部を介して前記照明コントローラに送信する制御部と、
を備え、
前記制御部は、前記通信部を介して、前記操作端末と通信確立している前記照明コントローラから当該照明コントローラの識別情報に関する情報を取得し、前記情報に基づいて、通信確立している前記照明コントローラと前記スケジュール情報の送信対象である前記照明コントローラとが一致することを確認した後、通信確立している前記照明コントローラに前記スケジュール情報を送信する
照明システム。
【請求項２】
前記制御部は、前記識別情報に関する情報として前記照明コントローラの識別情報を取得し、および、前記記憶部から前記スケジュール情報の送信対象である前記照明コントローラの識別情報を取得し、取得した２つの前記識別情報が一致するか否かを判断して、一致する場合に、通信確立している前記照明コントローラに前記スケジュール情報を送信する
請求項１に記載の照明システム。
【請求項３】
前記制御部は、前記操作端末と通信確立している前記照明コントローラに当該照明コントローラの識別情報を返信するように要求することで、当該識別情報を取得する
請求項２に記載の照明システム。
【請求項４】
前記操作端末は、ディスプレイを含む表示部を備え、
前記制御部は、取得した２つの前記識別情報が一致しない場合に、前記表示部に前記識別情報が不一致であることを示す情報を表示させる
請求項２に記載の照明システム。
【請求項５】
前記制御部は、取得した２つの前記識別情報が一致しない場合に、前記スケジュール情報の送信対象である前記照明コントローラの識別情報を、前記操作端末と通信確立している前記照明コントローラの識別情報に変更した後、通信確立している前記照明コントローラに前記スケジュール情報を送信する
請求項２または３に記載の照明システム。
【請求項６】
前記スケジュール情報には、前記照明コントローラの識別情報が含まれ、
前記制御部は、前記通信部を介して、前記操作端末と通信確立している前記照明コントローラから当該照明コントローラのスケジュール情報を取得し、取得した前記スケジュール情報のうち前記識別情報を除く部分の情報を書き換え、書き換えた前記スケジュール情報を当該照明コントローラに送信する
請求項１〜５のいずれか１項に記載の照明システム。
【請求項７】
前記制御部は、前記操作端末と通信確立している前記照明コントローラに前記スケジュール情報を送信する際に、前記照明コントローラの識別情報も送信し、
前記複数の照明コントローラのそれぞれは、自身の前記識別情報と、送信された前記識別情報とが一致する場合に、前記スケジュール情報に基づいて前記１以上の照明器具の点灯状態を制御する
請求項１〜５のいずれか１項に記載の照明システム。
【請求項８】
１以上の照明器具の点灯状態を制御する複数の照明コントローラのうちいずれか１つの照明コントローラと通信確立する操作端末であって、
前記複数の照明コントローラのそれぞれの識別情報を記憶する記憶部と、
前記複数の照明コントローラと無線通信する通信部と、
前記１以上の照明器具の点灯状態と時刻または時間帯とが対応づけられたスケジュール情報を、前記通信部を介して前記照明コントローラに送信する制御部と、
を備え、
前記制御部は、前記通信部を介して、前記操作端末と通信確立している前記照明コントローラから当該照明コントローラの識別情報に関する情報を取得し、前記情報に基づいて、通信確立している前記照明コントローラと前記スケジュール情報の送信対象である前記照明コントローラとの識別情報が一致することを確認した後、通信確立している前記照明コントローラに前記スケジュール情報を送信する
操作端末。
【請求項９】
照明器具の点灯状態を制御する複数の照明コントローラのうち電波強度が強い照明コントローラと通信確立する通信部と、
前記複数の照明コントローラのそれぞれの識別情報を記憶する記憶部と、
前記複数の照明コントローラのうちの送信対象とする照明コントローラの配下の照明器具の点灯状態と時刻または時間帯とが対応づけられたスケジュール情報を、前記通信部を介して送信対象とする前記照明コントローラに対して送信する制御部と、
を備え、
前記制御部は、前記通信部を介して、前記操作端末と通信確立している照明コントローラから当該照明コントローラの識別情報に関する情報を取得し、前記情報に基づいて、通信確立している当該照明コントローラの識別情報と、送信対象とする前記照明コントローラの識別情報とが一致することを確認した後、通信確立している前記照明コントローラに対して前記スケジュール情報を送信する
操作端末。
【請求項１０】
複数の照明器具と、前記複数の照明器具のうち１以上の照明器具の点灯状態を制御する複数の照明コントローラと、前記複数の照明コントローラのうちいずれか１つの照明コントローラと通信確立する操作端末とを備える照明システムに、前記１以上の照明器具の点灯状態と時刻または時間帯とが対応づけられたスケジュール情報を送信する、照明システムのスケジュール情報送信方法であって、
前記操作端末と通信確立している前記照明コントローラから、当該照明コントローラの識別情報に関する情報を取得する工程と、
前記情報に基づいて、通信確立している前記照明コントローラと前記スケジュール情報の送信対象である前記照明コントローラとが一致するか否かを確認し、一致する場合に通信確立している前記照明コントローラに前記スケジュール情報を送信する工程と
を含む照明システムのスケジュール情報送信方法。
【発明の詳細な説明】
【技術分野】
【０００１】
本発明は、照明器具と照明コントローラと操作端末とを備える照明システム、この照明システムのスケジュール情報送信方法、および、スケジュール情報を送信するための操作端末に関する。
【背景技術】
【０００２】
従来、複数の照明器具と、複数の照明器具を制御する複数の照明コントローラと、複数の照明コントローラと無線通信する操作端末（設定器）とを備える照明システムが知られている（例えば、特許文献１の図１９参照）。
【先行技術文献】
【特許文献】
【０００３】
【特許文献１】特開２０１６−１７８０１４号公報
【発明の概要】
【発明が解決しようとする課題】
【０００４】
従来の照明システムでは、複数の照明器具のそれぞれは、照明器具の点灯状態と時刻または時間帯とが対応づけられたスケジュール情報に基づいて点灯制御される。このスケジュール情報は、操作端末にて作成され、操作端末から照明コントローラに送信される。
【０００５】
しかしながら、上記照明システムにてスケジュール情報を送信する際に、操作端末が、スケジュール情報の送信対象でない照明コントローラと通信確立されることがある。その場合、操作端末から上記送信対象でない照明コントローラに誤ってスケジュール情報が送信されるという問題がある。
【０００６】
そこで本発明は、照明コントローラにスケジュール情報を送信する際に、スケジュール情報の送信対象である照明コントローラに確実にスケジュール情報を送信する照明システム等を提供する。
【課題を解決するための手段】
【０００７】
本発明の照明システムの一態様は、複数の照明器具と、前記複数の照明器具のうち１以上の照明器具の点灯状態を制御する複数の照明コントローラと、前記複数の照明コントローラのうちいずれか１つの照明コントローラと通信確立する操作端末とを備える照明システムであって、前記操作端末は、前記複数の照明コントローラのそれぞれの識別情報を記憶する記憶部と、前記複数の照明コントローラと無線通信する通信部と、前記１以上の照明器具の点灯状態と時刻または時間帯とが対応づけられたスケジュール情報を、前記通信部を介して前記照明コントローラに送信する制御部と、を備え、前記制御部は、前記通信部を介して、前記操作端末と通信確立している前記照明コントローラから当該照明コントローラの識別情報に関する情報を取得し、前記情報に基づいて、通信確立している前記照明コントローラと前記スケジュール情報の送信対象である前記照明コントローラとが一致することを確認した後、通信確立している前記照明コントローラに前記スケジュール情報を送信する。
【０００８】
本発明の操作端末の一態様は、１以上の照明器具の点灯状態を制御する複数の照明コントローラのうちいずれか１つの照明コントローラと通信確立する操作端末であって、前記複数の照明コントローラのそれぞれの識別情報を記憶する記憶部と、前記複数の照明コントローラと無線通信する通信部と、前記１以上の照明器具の点灯状態と時刻または時間帯とが対応づけられたスケジュール情報を、前記通信部を介して前記照明コントローラに送信する制御部と、を備え、前記制御部は、前記通信部を介して、前記操作端末と通信確立している前記照明コントローラから当該照明コントローラの識別情報に関する情報を取得し、前記情報に基づいて、通信確立している前記照明コントローラと前記スケジュール情報の送信対象である前記照明コントローラとの識別情報が一致することを確認した後、通信確立している前記照明コントローラに前記スケジュール情報を送信する。
【０００９】
本発明の操作端末の一態様は、照明器具の点灯状態を制御する複数の照明コントローラのうち電波強度が強い照明コントローラと通信確立する通信部と、前記複数の照明コントローラのそれぞれの識別情報を記憶する記憶部と、前記複数の照明コントローラのうちの送信対象とする照明コントローラの配下の照明器具の点灯状態と時刻または時間帯とが対応づけられたスケジュール情報を、前記通信部を介して送信対象とする前記照明コントローラに対して送信する制御部と、を備え、前記制御部は、前記通信部を介して、前記操作端末と通信確立している照明コントローラから当該照明コントローラの識別情報に関する情報を取得し、前記情報に基づいて、通信確立している当該照明コントローラの識別情報と、送信対象とする前記照明コントローラの識別情報とが一致することを確認した後、通信確立している前記照明コントローラに対して前記スケジュール情報を送信する。
【００１０】
本発明の照明システムのスケジュール情報送信方法の一態様は、複数の照明器具と、前記複数の照明器具のうち１以上の照明器具の点灯状態を制御する複数の照明コントローラと、前記複数の照明コントローラのうちいずれか１つの照明コントローラと通信確立する操作端末とを備える照明システムに、前記１以上の照明器具の点灯状態と時刻または時間帯とが対応づけられたスケジュール情報を送信する、照明システムのスケジュール情報送信方法であって、前記操作端末と通信確立している前記照明コントローラから、当該照明コントローラの識別情報に関する情報を取得する工程と、前記情報に基づいて、通信確立している前記照明コントローラと前記スケジュール情報の送信対象である前記照明コントローラとが一致するか否かを確認し、一致する場合に通信確立している前記照明コントローラに前記スケジュール情報を送信する工程とを含む。
【発明の効果】
【００１１】
照明コントローラにスケジュール情報を送信する際に、スケジュール情報の送信対象である照明コントローラに確実にスケジュール情報を送信することができる。
【図面の簡単な説明】
【００１２】
【図１】比較例の照明システムを示す概略図である。
【図２】実施の形態に係る照明システムが備える照明器具、照明コントローラおよび操作端末の配置の一例を示す図である。
【図３】実施の形態に係る照明システムの構成を示すブロック図である。
【図４】実施の形態に係る照明システムにおいて、操作端末から照明コントローラに送信されるスケジュール情報の一例を示す図である。
【図５】実施の形態に係る照明システムのスケジュール情報送信方法を示すフローチャートである。
【図６】実施の形態に係る照明システムにおいて、操作端末から照明コントローラにスケジュール情報を送信する場面を示す図である。
【図７】実施の形態に係る照明システムにおいて、操作端末が意図しない照明コントローラと通信確立している場面を示す図である。
【図８】実施の形態の変形例１に係る照明システムのスケジュール情報送信方法を示すフローチャートである。
【図９】実施の形態の変形例２に係る照明システムのスケジュール情報送信方法を示すフローチャートである。
【図１０】実施の形態の変形例２に係る照明システムにおいて、操作端末から照明コントローラにスケジュール情報を送信する場面を示す図である。
【図１１】実施の形態の変形例３に係る照明システムのスケジュール情報送信方法であって、照明コントローラのスケジュール情報を書き換えるフローを示す図である。
【図１２】実施の形態の変形例３に係る照明システムにおいて、照明コントローラのスケジュール情報を書き換える場面を示す図である。
【発明を実施するための形態】
【００１３】
（発明に至る経緯）
まず、図１を参照しながら本発明に至る経緯について説明する。図１は、比較例の照明システム１０１を示す概略図である。
【００１４】
比較例の照明システム１０１は、複数の照明器具３０と、複数の照明器具３０を制御する複数の照明コントローラ２１、２２、２３、２４と、各照明コントローラ２１〜２４と無線ｒ１で通信する操作端末１０とを備える。
【００１５】
照明コントローラ２１〜２４のそれぞれは、各自が所有するスケジュール情報に基づいて配下の照明器具３０を制御する。このスケジュール情報は、例えば操作端末１０によって作成され、操作端末１０から照明コントローラ２１〜２４ごとに送信される。
【００１６】
操作端末１０は、例えばＷｉＦｉ（登録商標）で通信確立している照明コントローラにスケジュール情報を送信するが、通信確立している照明コントローラ（例えば照明コントローラ２１）との間の電波強度が弱くなると、それよりも電波強度が強い他の照明コントローラ（例えば照明コントローラ２３）と自動的に通信確立する。そのため、照明システム１０１ではスケジュール情報を送信する際に、操作端末１０が意図しない照明コントローラ２３と通信確立され、照明コントローラ２３に誤ったスケジュール情報を送信するという問題がある。
【００１７】
本実施の形態に係る照明システムでは、スケジュール情報を送信する前に、操作端末と通信確立している照明コントローラから、上記照明コントローラの識別情報に関する情報を取得する。そして、取得した情報に基づいて通信確立している照明コントローラとスケジュール情報の送信対象である照明コントローラとが一致することを確認する。これにより、スケジュール情報の送信対象である照明コントローラに、確実にスケジュール情報を送信することができる。
【００１８】
以下、実施の形態に係る照明システム、照明システムのスケジュール情報送信方法および操作端末について、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置および接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１９】
なお、各図は、模式図であり、必ずしも厳密に図示されたものではない。また、各図において、実質的に同一の構成に対しては同一の符号を付しており、重複する説明は省略または簡略化する。
【００２０】
（実施の形態）
［１−１．照明システムの全体構成］
図２を参照しながら、実施の形態に係る照明システム１の全体構成について説明する。図２は、実施の形態に係る照明システム１が備える照明器具３０、照明コントローラ２１、２２、２３、２４および操作端末１０の配置の一例を示す図である。
【００２１】
照明システム１は、複数の照明器具３０と複数の照明コントローラ２１〜２４と操作端末１０とを備えている。図２では、一例として６４台の照明器具３０が示されているが、実際は、建物９０の造営材（例えば天井）などに１００台以上の照明器具３０が設置されることがある。また、図２では、一例として４台の照明コントローラ２１〜２４が示されているが、実際は、建物９０の造営材などに２台、３台または５台以上の照明コントローラが設置されることがある。
【００２２】
操作端末１０は、無線ｒ１によって各照明コントローラ２１〜２４と通信可能である。無線ｒ１による通信方式としては、例えば、ＩＥＥＥ８０２．１１規格であるＷｉＦｉなどの方式が用いられる。操作端末１０は、複数の照明コントローラ２１〜２４のうち電波強度が強いいずれか１つの照明コントローラと通信確立する。例えば、操作端末１０と照明コントローラ２１とが通信確立している場合、操作端末１０と照明コントローラ２２〜２４とは通信確立しない。なお、通信確立とは、通信相手同士が相手のアドレスを互いに保有している状態をいう。
【００２３】
複数の照明コントローラ２１〜２４は、無線ｒ２によって複数の照明器具３０と通信可能である。無線ｒ２による通信方式としては、例えば、９２０ＭＨｚ帯または２．４ＧＨｚ帯の周波数を利用した特定小電力無線、Zigbee（登録商標）、Bluetooth（登録商標）、または、ＷｉＦｉ（登録商標）などの方式が用いられる。
【００２４】
［１−２．照明システムの各構成］
次に、図３および図４を参照しながら、照明システム１の各構成について説明する。図３は、照明システム１の構成を示すブロック図である。図４は、操作端末１０から照明コントローラ２１〜２４に送信されるスケジュール情報Ａ、Ｂ、Ｃ、Ｄの一例を示す図である。ここでは、複数の照明器具３０のうち１つの照明器具３０を代表例に挙げ、また、複数の照明コントローラ２１〜２４のうち照明コントローラ２１を代表例に挙げて説明する。
【００２５】
照明器具３０は、例えば、ＬＥＤ（light  emitting  diode）ライトである。図３に示すように、照明器具３０は、通信部３０ａと点灯部３０ｂと制御部３０ｃと記憶部３０ｄとを備える。通信部３０ａ、点灯部３０ｂ、記憶部３０ｄのそれぞれは、制御部３０ｃに接続されている。
【００２６】
通信部３０ａは、アンテナおよび無線モジュールなどにより構成される。通信部３０ａは、無線ｒ２で各照明コントローラ２１〜２４と通信可能である。
【００２７】
点灯部３０ｂは、例えば、白色光、赤色光、緑色光または青色光を発する複数の発光ダイオードなどの光源を含む。
【００２８】
記憶部３０ｄは、ＲＡＭ（Random  Access  Memory）およびＲＯＭ（read  only  memory）などにより構成される。記憶部３０ｄには、ＭＡＣアドレス（Media  Access  Control  address）などの、照明器具３０自身の識別情報が記憶されている。
【００２９】
制御部３０ｃは、ＣＰＵ（central  processing  unit）、などにより構成される。制御部３０ｃは、照明コントローラ２１〜２４のうちいずれか１つの照明コントローラ（例えば照明コントローラ２１）の指示に基づいて、点灯部３０ｂの点灯状態を制御する。
【００３０】
照明コントローラ２１は、スケジュール情報Ａに基づいて配下の照明器具３０を制御するスケジュールコントローラである。照明コントローラ２１は、通信部２０ａと制御部２０ｃと記憶部２０ｄとを備えている。通信部２０ａ、記憶部２０ｄのそれぞれは、制御部２０ｃに接続されている。
【００３１】
通信部２０ａは、アンテナおよび無線モジュールなどにより構成される。通信部２０ａは、無線ｒ１で複数の照明器具３０と通信可能である。なお、通信部２０ａは、有線で複数の照明器具３０と通信可能であってもよい。
【００３２】
記憶部２０ｄは、ＲＡＭおよびＲＯＭなどにより構成される。記憶部２０ｄには、ＭＡＣアドレスなどの、照明コントローラ２１自身の識別情報、および、配下の照明器具３０の識別情報が記憶されている。なお、識別情報はＭＡＣアドレスに限られず、ＵＤＩＤ（Unique  Device  Identifier）などのアドレスであってもよい。
【００３３】
また、記憶部２０ｄには、例えば図４に示すスケジュール情報Ａ〜Ｄのうちのスケジュール情報Ａが保存されている。スケジュール情報Ａは、照明器具３０の点灯状態と時刻または時間帯とが対応づけられたスケジュールデータと、このスケジュールデータに基づいて配下の照明器具３０を制御する照明コントローラ２１の識別情報とを含む。例えば、スケジュール情報Ａには、「照明器具の点灯状態：１００％点灯」と「時刻：８：００〜１２：００」とが対応づけられたスケジュールデータと、照明コントローラ２１の識別情報「ａａａ」とが含まれている。記憶部２０ｄのスケジュール情報Ａは、操作端末１０からスケジュール情報Ａが送信されることで書き換えられる。なお、書き換え前のスケジュール情報Ａは、照明コントローラ２１を造営材に設置する際に書き込まれてもよいし、照明コントローラ２１の製造時に記憶部２０ｄに書き込まれてもよい。
【００３４】
制御部２０ｃは、ＣＰＵなどにより構成され、上記スケジュール情報Ａに基づいて、複数の照明器具３０のうち１以上の照明器具３０の点灯状態を制御する。また、制御部２０ｃは、操作端末１０から送信されたスケジュール情報Ａを受け付け、記憶部２０ｄに保存されているスケジュール情報Ａを書き換える。また、制御部２０ｃは、操作端末１０から送信された情報要求指令を受け付ける。操作端末１０から要求される情報は、例えば、照明コントローラ２１自身の識別情報に関する情報である。情報要求指令を受け付けた制御部２０ｃは、自身の識別情報を、通信部２０ａを介して操作端末１０に返信する。
【００３５】
操作端末１０は、スケジュール情報Ａ〜Ｄを作成または編集して、各照明コントローラ２１〜２４に送信する設定器である。操作端末１０は、通信部１０ａと表示部１０ｂと記憶部１０ｄと制御部１０ｃとを備える。通信部１０ａ、表示部１０ｂ、記憶部１０ｄのそれぞれは制御部１０ｃに接続されている。
【００３６】
通信部１０ａは、アンテナおよび無線モジュールなどにより構成される。通信部１０ａは、複数の照明コントローラ２１〜２４と無線ｒ１で通信可能である。
【００３７】
記憶部１０ｄは、ＲＡＭおよびＲＯＭなどにより構成される。記憶部１０ｄには、操作端末１０自身の識別情報、および、スケジュール情報Ａ〜Ｄが保存されている。また、記憶部１０ｄには、図２に示すような、各照明器具３０および各照明コントローラ２１〜２４の配置情報と、各照明器具３０および各照明コントローラ２１〜２４の識別情報とが関連付けられた地図情報が保存されている。照明システム１にスケジュール設定を行うユーザは、この地図情報を参照しながら、スケジュール情報Ａ〜Ｄを作成または編集し、また、スケジュール情報Ａ〜Ｄを送信すべき照明コントローラ２１〜２４を決定する。
【００３８】
表示部１０ｂは、タッチパネル型のディスプレイである。表示部１０ｂは、スケジュール情報Ａ〜Ｄの送信対象である照明コントローラ２１〜２４の番号を表示し（図６の（ａ）参照）、また、スケジュール情報Ａ〜Ｄの送信が終了したこと等を表示する。また、表示部１０ｂは、タッチキーなどの入力部１０ｅを含んでいる。この入力部１０ｅを用いて、スケジュール情報Ａ〜Ｄの作成または編集が行われたり、スケジュール設定の開始指示が行われたりする。
【００３９】
制御部１０ｃは、ＣＰＵなどにより構成される。制御部１０ｃは、入力部１０ｅで入力されたスケジュール情報Ａ〜Ｄを受け付け、記憶部１０ｄに保存する。また、制御部１０ｃは、入力部１０ｅで入力された上記開始指示を受け付け、照明システム１のスケジュール設定を行う。
【００４０】
本実施の形態における制御部１０ｃは、スケジュール情報Ａを送信する前に、通信確立している照明コントローラ２１に、照明コントローラ２１の識別情報を返信するように要求する。これによって、照明コントローラ２１から返信された識別情報を取得する。また、制御部１０ｃは、記憶部１０ｄからスケジュール情報Ａの送信対象である照明コントローラ２１の識別情報を取得する。そして、これら２つの識別情報を比較し、一致している場合に、通信確立している照明コントローラ２１にスケジュール情報Ａを送信する。
【００４１】
このように照明システム１では、スケジュール情報Ａを送信する前に、通信確立している照明コントローラ２１とスケジュール情報Ａの送信対象である照明コントローラ２１とが一致することを確認することで、照明コントローラ２１に確実にスケジュール情報Ａを送信することができる。
【００４２】
［１−３．照明システムのスケジュール情報送信方法］
図５〜図７を参照しながら、照明システム１のスケジュール情報送信方法について説明する。このスケジュール情報送信方法は、例えば、照明コントローラ２１に保存されているスケジュール情報Ａを書き換える場合、または、スケジュール情報を有していない照明コントローラ２１に新たにスケジュール情報Ａを書き込む場合に用いられる。
【００４３】
図５は、照明システム１のスケジュール情報送信方法を示すフローチャートである。図６は、操作端末１０から照明コントローラ２１にスケジュール情報Ａを送信する場面を示す図である。
【００４４】
まず、操作端末１０の制御部１０ｃは、スケジュール情報Ａの送信対象である照明コントローラ２１にスケジュール情報Ａを送信する前に、照明コントローラ２１に識別情報を返信するように要求する（Ｓ１１）。この要求は、図６の（ａ）に示すように、照明コントローラ２１に対応する入力部１０ｅにユーザが触れることで入力される。
【００４５】
制御部１０ｃは、上記要求の入力を受け付けると、通信部１０ａを介して情報要求信号ｓ１を一斉送信する。情報要求信号ｓ１には、操作端末１０と実際に通信確立している照明コントローラ２１の識別情報が含まれている。そのため、情報要求信号ｓ１は、上記照明コントローラ２１のみに受け付けられる。
【００４６】
照明コントローラ２１の制御部２０ｃは、情報要求信号ｓ１を受信した後、自身の識別情報を記憶部２０ｄから読み出す。そして制御部２０ｃは、自身の識別情報が含まれた返信信号ｓ２を、通信部２０ａを介して操作端末１０に返信する。これにより操作端末１０は、通信確立している照明コントローラ２１から、照明コントローラ２１の識別情報を取得する（Ｓ１２）。
【００４７】
また、操作端末１０の制御部１０ｃは、記憶部１０ｄから、スケジュール情報Ａの送信対象である照明コントローラ２１の識別情報を読み出して取得する（Ｓ１３）。このステップＳ１３は、ステップＳ１１またはＳ１２と同時に実行されてもよいし、ステップＳ１１とＳ１２との間に実行されてもよい。
【００４８】
次に、制御部１０ｃは、取得した２つの識別情報が一致するか否かを確認する（Ｓ１４）。具体的に、制御部１０ｃは、通信確立している照明コントローラ２１から取得した識別情報と、記憶部１０ｄから取得した照明コントローラ２１の識別情報とを比較し、一致するか否かを判断する。
【００４９】
２つの識別情報が一致する場合（Ｓ１４のＹ）、制御部１０ｃは、通信部１０ａを介してスケジュール情報Ａを照明コントローラ２１に送信する（Ｓ１５）。具体的に、制御部１０ｃは、図６の（ｂ）に示すように、通信確立している照明コントローラ２１にスケジュール情報Ａを含むスケジュール送信信号ｓ３を送信する。これにより、複数の照明コントローラ２１〜２４のうちの送信対象とする照明コントローラ２１の配下の照明器具３０の点灯状態と時刻または時間帯とが対応づけられたスケジュール情報Ａを、本来の送信対象とする照明コントローラ２１に対して送信する。このスケジュール情報Ａには、送信対象とする照明コントローラ２１の識別情報が含まれている。
【００５０】
なお、スケジュール送信信号ｓ３の送信は自動で行われる。ステップＳ１２で返信信号ｓ２を受信してからステップＳ１５でスケジュール送信信号ｓ３を送信するまでの時間は、例えば、０秒よりも大きく１秒以下である。
【００５１】
制御部１０ｃは、スケジュール送信信号ｓ３の送信が終了すると、スケジュール情報Ａの送信が終了したことを表示部１０ｂに表示させる（Ｓ１６）。具体的には、図６の（ｃ）に示すように、表示部１０ｂの一部である入力部１０ｅの色を変化させる。この入力部１０ｅの変化により、ユーザは、スケジュール情報Ａが照明コントローラ２１に正常に送信されたことを視認することができる。
【００５２】
スケジュール送信信号ｓ３を受信した照明コントローラ２１は、自身の識別情報と、操作端末１０から送信された識別情報とが一致する場合に、スケジュール情報Ａの書き込み指令を受け付け、スケジュール情報Ａを記憶部２０ｄに保存する。照明コントローラ２１の制御部２０ｃは、受け付けたスケジュール情報Ａに基づいて配下の照明器具３０の点灯状態を制御する。このように、操作端末１０にて作成または編集されたスケジュール情報Ａ〜Ｄは、操作端末１０から照明コントローラ２１〜２４ごとに送信される。これらの工程により、照明システム１におけるスケジュール設定が終了する。
【００５３】
次に、照明コントローラ２１の識別情報が一致しない場合について説明する。図７は、操作端末１０が意図しない照明コントローラ２３と通信確立している場面を示す図である。なお、意図しない照明コントローラとは、スケジュール情報の送信対象である照明コントローラと異なる照明コントローラのことをいう。
【００５４】
例えば電波状況の変化によって、操作端末１０が意図しない照明コントローラ２３と通信確立すると、図７の（ａ）に示すように、意図しない照明コントローラ２３に情報要求信号ｓ１が送信される。操作端末１０は、この照明コントローラ２３から返信信号ｓ２を受信し、照明コントローラ２３の識別情報を取得する。
【００５５】
制御部１０ｃは、取得した識別情報が一致するか否かを確認するが（Ｓ１４）、通信確立している照明コントローラ２３から取得した識別情報と、記憶部１０ｄから取得した照明コントローラ２１の識別情報とが一致しないと判断する（Ｓ１４のＮ）。この場合、制御部１０ｃは、照明コントローラ２３にスケジュール送信信号ｓ３を送信しない。これにより、スケジュール情報Ａが誤って照明コントローラ２３に送信されることを防止することができる。
【００５６】
また、制御部１０ｃは、図７の（ｂ）に示すように、識別情報が不一致であることを表示部１０ｂに表示させる（Ｓ１７）。この表示により、ユーザは、スケジュール情報Ａを照明コントローラ２１に正常に送信できなかったことを視認することができる。
【００５７】
［１−４．効果等］
本実施の形態に係る照明システム１は、複数の照明器具３０と、複数の照明器具３０のうち１以上の照明器具３０の点灯状態を制御する複数の照明コントローラ２１〜２４と、複数の照明コントローラ２１〜２４のうちいずれか１つの照明コントローラと通信確立する操作端末１０とを備える。操作端末１０は、複数の照明コントローラ２１〜２４のそれぞれの識別情報を記憶する記憶部１０ｄと、複数の照明コントローラ２１〜２４と無線通信する通信部１０ａと、１以上の照明器具３０の点灯状態と時刻または時間帯とが対応づけられたスケジュール情報Ａ〜Ｄを、通信部１０ａを介して照明コントローラ２１〜２４に送信する制御部１０ｃと、を備える。操作端末１０の制御部１０ｃは、通信部１０ａを介して、操作端末１０と通信確立している照明コントローラ（例えば照明コントローラ２１）から照明コントローラ２１の識別情報に関する情報を取得する。そして、上記情報に基づいて、通信確立している照明コントローラ２１とスケジュール情報Ａの送信対象である照明コントローラ２１とが一致することを確認した後、通信確立している照明コントローラ２１にスケジュール情報Ａを送信する。
【００５８】
このように、照明システム１において、スケジュール情報Ａを送信する前に、通信確立している照明コントローラ２１とスケジュール情報Ａの送信対象である照明コントローラ２１とが一致することを確認することで、照明コントローラ２１に確実にスケジュール情報Ａを送信することができる。
【００５９】
また、制御部１０ｃは、識別情報に関する情報として照明コントローラ２１の識別情報を取得し、および、記憶部１０ｄからスケジュール情報Ａの送信対象である照明コントローラ２１の識別情報を取得し、取得した２つの識別情報が一致するか否かを判断して、一致する場合に、通信確立している照明コントローラ２１にスケジュール情報Ａを送信してもよい。
【００６０】
このように、通信確立している照明コントローラ２１の識別情報とスケジュール情報Ａの送信対象である照明コントローラ２１の識別情報とが一致することを確認することで、照明コントローラ２１に確実にスケジュール情報Ａを送信することができる。
【００６１】
また、制御部１０ｃは、操作端末１０と通信確立している照明コントローラ２１に照明コントローラ２１の識別情報を返信するように要求することで、識別情報を取得してもよい。
【００６２】
これにより、操作端末１０と通信確立している照明コントローラ２１の識別情報をタイムリーに把握することができ、照明コントローラ２１に確実にスケジュール情報Ａを送信することができる。
【００６３】
また、操作端末１０は、ディスプレイを含む表示部１０ｂを備え、制御部１０ｃは、取得した２つの識別情報が一致しない場合に、表示部１０ｂに識別情報が不一致であることを示す情報を表示させてもよい。
【００６４】
これによれば、ユーザが、スケジュール情報Ａを照明コントローラ２１に正常に送信できなかったことを視認することができる。
【００６５】
また、制御部１０ｃは、操作端末１０と通信確立している照明コントローラ２１、２２、２３または２４にスケジュール情報Ａ、Ｂ、ＣまたはＤを送信する際に、照明コントローラ２１、２２、２３または２４の識別情報も送信し、複数の照明コントローラ２１〜２４のそれぞれは、自身の識別情報と、送信された識別情報とが一致する場合に、スケジュール情報Ａ〜Ｄに基づいて１以上の照明器具３０の点灯状態を制御してもよい。
【００６６】
これによれば、各照明コントローラ２１〜２４が、操作端末１０から送信された正常なスケジュール情報Ａ〜Ｄに基づいて、配下の照明器具３０を制御することができる。
【００６７】
本実施の形態に係る操作端末１０は、１以上の照明器具３０の点灯状態を制御する複数の照明コントローラ２１〜２４のうちいずれか１つの照明コントローラと通信確立する操作端末１０であって、複数の照明コントローラ２１〜２４のそれぞれの識別情報を記憶する記憶部１０ｄと、複数の照明コントローラ２１〜２４と無線通信する通信部１０ａと、１以上の照明器具３０の点灯状態と時刻または時間帯とが対応づけられたスケジュール情報Ａ〜Ｄを、通信部１０ａを介して照明コントローラ２１〜２４に送信する制御部１０ｃと、を備える。制御部１０ｃは、通信部１０ａを介して、操作端末１０と通信確立している照明コントローラ（例えば照明コントローラ２１）から照明コントローラ２１の識別情報に関する情報を取得し、上記情報に基づいて、通信確立している照明コントローラ２１とスケジュール情報Ａの送信対象である照明コントローラ２１とが一致することを確認した後、通信確立している照明コントローラ２１にスケジュール情報Ａを送信する。
【００６８】
このように、操作端末１０を用いて、スケジュール情報Ａを送信する前に、通信確立している照明コントローラ２１とスケジュール情報Ａの送信対象である照明コントローラ２１とが一致することを確認することで、照明コントローラ２１に確実にスケジュール情報Ａを送信することができる。
【００６９】
本実施の形態に係る操作端末１０は、照明器具３０の点灯状態を制御する複数の照明コントローラ２１〜２４のうち電波強度が強い照明コントローラと通信確立する通信部１０ａと、複数の照明コントローラ２１〜２４のそれぞれの識別情報を記憶する記憶部１０ｄと、複数の照明コントローラ２１〜２４のうちの送信対象とする照明コントローラ（例えば照明コントローラ２１）の配下の照明器具３０の点灯状態と時刻または時間帯とが対応づけられたスケジュール情報Ａを、通信部１０ａを介して送信対象とする照明コントローラ２１に対して送信する制御部１０ｃと、を備える。制御部１０ｃは、通信部１０ａを介して、操作端末１０と通信確立している照明コントローラ２１から照明コントローラ２１の識別情報に関する情報を取得し、上記情報に基づいて、通信確立している照明コントローラ２１の識別情報と、送信対象とする照明コントローラ２１の識別情報とが一致することを確認した後、通信確立している照明コントローラ２１に対してスケジュール情報Ａを送信する。
【００７０】
このように、操作端末１０を用いて、スケジュール情報Ａを送信する前に、通信確立している照明コントローラ２１とスケジュール情報Ａの送信対象である照明コントローラ２１とが一致することを確認することで、照明コントローラ２１に確実にスケジュール情報Ａを送信することができる。
【００７１】
本実施の形態に係る照明システム１のスケジュール情報送信方法は、複数の照明器具３０と、複数の照明器具３０のうち１以上の照明器具３０の点灯状態を制御する複数の照明コントローラ２１〜２４と、複数の照明コントローラ２１〜２４のうちいずれか１つの照明コントローラと通信確立する操作端末１０とを備える照明システム１に、１以上の照明器具３０の点灯状態と時刻または時間帯とが対応づけられたスケジュール情報Ａ〜Ｄを送信する、照明システム１のスケジュール情報送信方法であって、操作端末１０と通信確立している照明コントローラ（例えば照明コントローラ２１）から、照明コントローラ２１の識別情報に関する情報を取得する工程と、上記情報に基づいて、通信確立している照明コントローラ２１とスケジュール情報Ａの送信対象である照明コントローラ２１とが一致するか否かを確認し、一致する場合に通信確立している照明コントローラ２１にスケジュール情報Ａを送信する工程とを含む。
【００７２】
このように、スケジュール情報Ａを送信する前に、通信確立している照明コントローラ２１とスケジュール情報Ａの送信対象である照明コントローラ２１とが一致することを確認することで、照明コントローラ２１に確実にスケジュール情報Ａを送信することができる。
【００７３】
（変形例１）
実施の形態の変形例１に係る照明システム１は、照明コントローラ２１が識別情報の一致判断を行う点で、前述した実施の形態の照明システム１と異なる。図８は、実施の形態の変形例１に係る照明システム１のスケジュール情報送信方法を示すフローチャートである。
【００７４】
変形例１における操作端末１０の制御部１０ｃは、照明コントローラ２１にスケジュール情報Ａを送信する前に、記憶部１０ｄから照明コントローラ２１の識別情報を読み出す（Ｓ２１）。
【００７５】
次に、制御部１０ｃは、読み出した照明コントローラ２１の識別情報を、通信確立している照明コントローラ２１に送信する（Ｓ２２）。
【００７６】
照明コントローラ２１の制御部２０ｃは、操作端末１０から送信された識別情報を受け付け、送信された識別情報が自身の識別情報に一致するか否かを判断する。そして制御部２０ｃは、識別情報に関する判断情報を操作端末１０に返信する。
【００７７】
これにより、操作端末１０の制御部１０ｃは、照明コントローラ２１から識別情報に関する判断情報を取得する（Ｓ２３）。なおこの判断情報は、上記２つの識別情報が一致または不一致であること示す情報である。
【００７８】
制御部１０ｃは取得した情報に基づいて、通信確立している照明コントローラ２１とスケジュール情報Ａの送信対象である照明コントローラ２１とが一致するか否かを確認する（Ｓ１４）。そして、一致していることを確認した後（Ｓ１４のＹ）、通信確立している照明コントローラ２１にスケジュール情報Ａを送信する（Ｓ１５）。以降のステップは、図５で示した実施の形態と同様である。
【００７９】
変形例１においても、制御部１０ｃは、通信部１０ａを介して、操作端末１０と通信確立している照明コントローラ２１から識別情報に関する情報を取得する。そして、上記情報に基づいて、通信確立している照明コントローラ２１とスケジュール情報Ａの送信対象である照明コントローラ２１とが一致することを確認した後、通信確立している照明コントローラ２１にスケジュール情報Ａを送信する。
【００８０】
このように変形例１の照明システム１では、スケジュール情報Ａを送信する前に、通信確立している照明コントローラ２１とスケジュール情報Ａの送信対象である照明コントローラ２１とが一致することを確認することで、照明コントローラ２１に確実にスケジュール情報Ａを送信することができる。
【００８１】
（変形例２）
実施の形態の変形例２は、照明コントローラ２１の識別情報が一致しない場合に、送信対象である照明コントローラ２１の識別情報を変更する形態である。
【００８２】
図９は、実施の形態の変形例２に係る照明システム１のスケジュール情報送信方法を示すフローチャートである。図１０は、変形例２に係る照明システム１において、操作端末１０から照明コントローラ２３にスケジュール情報Ａを送信する場面を示す図である。
【００８３】
操作端末１０と通信確立している照明コントローラ２３の識別情報が、スケジュール情報Ａの送信対象である照明コントローラ２１の識別情報に一致しない場合、図１０の（ａ）に示すように、表示部１０ｂに識別情報が不一致であることが表示される。
【００８４】
ここで図４に示すように、照明コントローラ２３のスケジュールデータが照明コントローラ２１のスケジュールデータと同じである場合、照明コントローラ２１のスケジュールデータを照明コントローラ２３のスケジュールデータとして用いることができる。そこで、図１０の（ｂ）に示すように、照明コントローラ２１のスケジュールデータの送信対象を照明コントローラ２３に変更する（Ｓ３１）。具体的には、スケジュール情報Ａに含まれる識別情報「ａａａ」を、照明コントローラ２３の識別情報「ｃｃｃ」に変更する。
【００８５】
以降のステップは、図５で示した実施の形態と同様であり、例えば、図１０の（ｃ）に示すように、制御部１０ｃから照明コントローラ２３に識別情報を返信するように要求する。そして、制御部１０ｃが、通信確立している照明コントローラ２３と送信対象である照明コントローラ２３とが一致することを確認した後、図１０の（ｄ）に示すように、変更済であるスケジュール情報を照明コントローラ２３に送信する。
【００８６】
変形例２の操作端末１０の制御部１０ｃは、取得した２つの識別情報が一致しない場合に、スケジュール情報Ａの送信対象である照明コントローラ（例えば照明コントローラ２１）の識別情報を、操作端末１０と通信確立している照明コントローラ（例えば照明コントローラ２３）の識別情報に変更した後、通信確立している照明コントローラ２３にスケジュール情報Ａを送信する。
【００８７】
これによれば、例えば、照明コントローラ２１のスケジュール情報Ａに含まれるスケジュールデータを、他の照明コントローラ２３のスケジュールデータとして流用することができる。これにより、照明システム１において、通信確立している照明コントローラ２３とスケジュール情報の送信対象である照明コントローラ２１とが不一致であった場合でも、送信対象を変更して、スケジュール情報の送信を簡易に行うことができる。
【００８８】
（変形例３）
実施の形態の変形例３は、スケジュール情報Ａを書き換える場合に、照明コントローラ２１に保存されているスケジュール情報Ａをもとにして書き換える形態である。
【００８９】
図１１は、実施の形態の変形例３に係る照明システム１のスケジュール情報送信方法であって、照明コントローラ２１のスケジュール情報Ａを書き換えるフローを示す図である。図１２は、変形例３に係る照明システム１において、照明コントローラ２１のスケジュール情報Ａを書き換える場面を示す図である。
【００９０】
まず、操作端末１０の通信部１０ａを介して、照明コントローラ２１に保存されているスケジュール情報Ａをダウンロードする（Ｓ４１）。具体的には、図１２の（ａ）に示すように、操作端末１０の入力部１０ｅに触れることで、照明コントローラ２１にスケジュール情報Ａの返信を要求する情報要求信号ｓ５を送信する。照明コントローラ２１の制御部２０ｃは、情報要求信号ｓ５を受信した後、記憶部２０ｄからスケジュール情報Ａを読み出す。読み出したスケジュール情報Ａには、照明コントローラ２１の識別情報が含まれている。制御部２０ｃは、このスケジュール情報Ａが含まれた返信信号ｓ６を、通信部２０ａを介して操作端末１０に返信する。これにより操作端末１０の制御部１０ｃは、通信確立している照明コントローラ２１からスケジュール情報Ａを取得する。
【００９１】
次に、操作端末１０の入力部１０ｅを用いて、ダウンロードしたスケジュール情報Ａを書き換える（Ｓ４２）。例えば図１２の（ｂ）に示すように、取得したスケジュール情報Ａのうち、上記識別情報を除く部分の情報を書き換える。言い換えれば、スケジュール情報Ａの識別情報は変えずに、スケジュールデータのみを書き換える。
【００９２】
次に、操作端末１０の通信部１０ａを介して、書き換えたスケジュール情報Ａを含むスケジュール送信信号ｓ７を照明コントローラ２１に送信する。これにより、照明コントローラ２１のスケジュール情報Ａをアップロードする（Ｓ４３）。なお、書き換えたスケジュール情報Ａを照明コントローラ２１に送信する前に、実施の形態で示したステップＳ１１〜Ｓ１４を実行してもよい。ステップＳ１１〜Ｓ１４の実行により、照明コントローラ２１に確実にスケジュール情報Ａを送信することができる。
【００９３】
変形例３の照明システム１では、スケジュール情報Ａには、照明コントローラ２１の識別情報が含まれている。制御部１０ｃは、通信部１０ａを介して、操作端末１０と通信確立している照明コントローラ２１から照明コントローラ２１のスケジュール情報Ａを取得し、取得したスケジュール情報Ａのうち識別情報を除く部分の情報を書き換え、書き換えたスケジュール情報Ａを照明コントローラ２１に送信する。
【００９４】
これによれば、取得したスケジュール情報Ａの識別情報をそのまま使ってスケジュール情報Ａの書き換えができるので、操作端末１０にて識別情報を新たに入力する手間が無くなる。また、ユーザによる識別情報の誤入力を抑制でき、照明コントローラ２１に確実にスケジュール情報Ａを送信することができる。
【００９５】
（その他の形態）
以上、照明システム１、照明システム１のスケジュール情報送信方法、および、操作端末１０について説明したが、本発明は、上記の実施の形態および変形例に限定されるものではない。例えば、上記の実施の形態に対して当業者が思いつく各種変形を施して得られる形態や、本発明の趣旨を逸脱しない範囲で実施の形態および変形例における構成要素および機能を任意に組み合わせることで実現される形態も本発明に含まれる。
【００９６】
例えば、実施の形態では、スケジュール情報Ａの中に照明コントローラ２１の識別情報が含まれている例を示したが、それに限られない。例えば、図５のステップＳ１５においてスケジュール情報Ａを送信する際に、スケジュール情報Ａとは別の情報として、照明コントローラ２１の識別情報を同時に送信してもよい。
【００９７】
また、実施の形態の図５のステップＳ１６では、スケジュール送信信号ｓ３を送信した後、スケジュール情報Ａの送信が終了したことを示す表示を行っているが、それに限られない。例えば、上記送信終了の表示は、照明コントローラ２１からスケジュール情報Ａの受領通知を操作端末１０が受信した後であってもよい。
【符号の説明】
【００９８】
１      照明システム
１０    操作端末
１０ａ  通信部
１０ｂ  表示部
１０ｃ  制御部
１０ｄ  記憶部
２１、２２、２３、２４  照明コントローラ
３０    照明器具
Ａ、Ｂ、Ｃ、Ｄ  スケジュール情報
【図１】
2019091637.tif 000003
【図２】
2019091637.tif 000004
【図３】
2019091637.tif 000005
【図４】
2019091637.tif 000006
【図５】
2019091637.tif 000007
【図６】
2019091637.tif 000008
【図７】
2019091637.tif 000009
【図８】
2019091637.tif 000010
【図９】
2019091637.tif 000011
【図１０】
2019091637.tif 000012
【図１１】
2019091637.tif 000013
【図１２】
2019091637.tif 000014